(57)【要約】【課題】閉じ状態での第１の筐体の端部と第２の筐体の端部とのずれ補正を行えるようにしながらも、外観を悪化させることなく開き状態でのガタツキ防止できるようにする。【解決手段】スライド式携帯電話機１において、第１の筐体３の裏面と第２の筐体５の表面とにそれぞれ閉じ状態においては互いに当接せず、開き状態において当接する第１及び第２ガタツキ防止部２１，２２を設ける。この第１及び第２ガタツキ防止部２１，２２を閉じ状態及び開き状態のいずれにおいても正面及び背面から隠れるようにする。【選択図】図１
2013197958.tif 000002
【特許請求の範囲】
【請求項１】
表面側の第１の筐体と裏面側の第２の筐体とがスライド機構によって互いにスライド移動可能に連結され、互いに重なって上記第２の筐体の表面の少なくとも一部が上記第１の筐体の裏側に隠れる閉じ状態又は上記第１の筐体が上記第２の筐体に対してスライドして該第２の筐体の表面の少なくとも一部が現れる開き状態に切換可能なスライド式携帯端末において、
上記第１の筐体の裏面と、上記第２の筐体の表面とには、それぞれ上記閉じ状態においては互いに当接せず、上記開き状態において当接するガタツキ防止部が設けられており、
上記ガタツキ防止部は、上記閉じ状態及び上記開き状態のいずれにおいても正面及び背面から隠れるように構成されている
ことを特徴とするスライド式携帯端末。
【請求項２】
請求項１に記載のスライド式携帯端末において、
上記第１の筐体のガタツキ防止部は、該第１の筐体のスライド方向に対して傾斜する第１傾斜面を有し、
上記第２の筐体のガタツキ防止部は、上記スライド方向に対して傾斜する第２傾斜面を有し、
上記開き状態において、上記第１傾斜面と上記第２傾斜面とが当接するように構成されている
ことを特徴とするスライド式携帯端末。
【発明の詳細な説明】
【技術分野】
【０００１】
本発明は、第１の筐体と第２の筐体とが互いにスライド可能に連結されたスライド式携帯端末に関するものである。
【背景技術】
【０００２】
このようなスライド式携帯端末において、例えば、図７に示すように、特許文献１のスライド式携帯電話１０１は、操作キーの取り付けられた第２の筐体１０５の側面にガイド溝１１１を形成し、このガイド溝１１１に嵌合して摺動するガイド部材１１２を有するスライド機構１１０を表示部１０２の取り付けられた第１の筐体１０３に設けている。
【０００３】
また、図８に示すように、特許文献２のスライド式端末機器２０１では、キー側筐体２０５の表面側の中央よりも上部側に両側の側部が内側にコの字状に成形されたスライドガイド２１１が取り付けられ、スライドガイド２１１を取りかこむように合計４箇所、ガタツキ抑制ボルト２０６が取り付けられている。ガタツキ抑制ボルト２０６は、キー側筐体２０５に設けられたボルト穴２０６ａを用いて、その先端が表示器側筐体２０３側に突出するように螺合されている。ボルト穴２０６ａは、ボルト穴２０６ａにガタツキ抑制ボルト２０６を螺合させた状態において、ガタツキ抑制ボルト２０６の先端部が、樹脂製のレール部２１１ａに当接可能な位置に設けられている。レール部２１１ａには、表示器側筐体２０３の裏面に取り付けたスライドレール２１２がスライド可能に支持されている。このガタツキ抑制ボルト２０６の先端部分は、滑らかな曲面に仕上げられ、ガタツキ抑制ボルト２０６とキー側筐体２０５との間には、固定接着剤２０７が塗布されることにより、ガタツキ抑制ボルト２０６の組み立て後の緩みを防止している。
【先行技術文献】
【特許文献】
【０００４】
【特許文献１】特開２００４−２５３４８０号公報
【特許文献２】特開２００９−２０６５８７号公報
【発明の概要】
【発明が解決しようとする課題】
【０００５】
しかしながら、上記特許文献１のスライド式携帯電話１０１では、側面にガイド溝１１１やガイド部材１１２が露出しており、見映えが悪い。
【０００６】
一方、上記特許文献２のスライド式端末機器２０１のような構成では、ガタツキ抑制ボルト２０６の押し込み方向のガタツキの防止には有効であるが、左右方向のガタツキには対応できない。このため、開き状態で落下させる等により衝撃が加わると、表示器側筐体２０３とキー側筐体２０５とが左右方向にずれてガタツキが生じる。
【０００７】
しかも、閉じたときの表示器側筐体２０３とキー側筐体２０５との下端部が、全ての製品において綺麗にそろうように調整できるようにするには、キー側筐体２０５とスライドレール２１２との間で完全に左右方向の自由度をなくすわけにもいかない。
【０００８】
本発明は、かかる点に鑑みてなされたものであり、その目的とするところは、閉じ状態での第１の筐体の端部と第２の筐体の端部とのずれ補正を行えるようにしながらも、外観を悪化させることなく開き状態でのガタツキ防止できるようにすることにある。
【課題を解決するための手段】
【０００９】
上記の目的を達成するために、この発明では、開き状態でのガタツキ防止のための部材を第１の筐体と第２の筐体とのそれぞれの合わせ面に設けた。
【００１０】
具体的には、第１の発明では、第１の筐体と第２の筐体とがスライド機構によって互いにスライド移動可能に連結され、互いに重なって上記第２の筐体の表面の少なくとも一部が上記第１の筐体の裏側に隠れる閉じ状態又は上記第１の筐体が上記第２の筐体に対してスライドして該第２の筐体の表面の少なくとも一部が現れる開き状態に切換可能なスライド式携帯端末を前提とする。
【００１１】
そして、上記スライド式携帯端末では、
上記第１の筐体の裏面と、上記第２の筐体の表面とには、それぞれ上記閉じ状態においては互いに当接せず、上記開き状態において当接するガタツキ防止部が設けられており、
上記ガタツキ防止部は、上記閉じ状態及び上記開き状態のいずれにおいても正面及び背面から隠れる構成とする。
【００１２】
上記の構成によると、ガタツキ防止部は、閉じ状態においては互いに当接しないので、閉じ状態における端部の位置合わせを行うことができる。一方、ガタツキ防止部は、開き状態において互いに当接するので、開き状態でのガタツキが確実に防止され、落下時等に衝撃を受けてもガタツキが生じにくい。さらに、ガタツキ防止部は、閉じ状態及び開き状態のいずれにおいても正面及び背面から見えないので、見映えがよい。
【００１３】
第２の発明では、第１の発明において、
上記第１の筐体のガタツキ防止部は、該第１の筐体のスライド方向に対して傾斜する第１傾斜面を有し、
上記第２の筐体のガタツキ防止部は、上記スライド方向に対して傾斜する第２傾斜面を有し、
上記開き状態において、上記第１傾斜面と上記第２傾斜面とが当接するように構成されている。
【００１４】
上記の構成によると、第１傾斜面と第２傾斜面とが開き状態で確実に当接してスライド方向及びスライド方向に垂直な方向への移動を規制するので、開き状態でのガタツキが確実に防止される。
【発明の効果】
【００１５】
以上説明したように、本発明によれば、第１の筐体の裏面と第２の筐体の表面とにそれぞれ閉じ状態においては互いに当接せず開き状態において当接するガタツキ防止部を、閉じ状態及び開き状態のいずれにおいても正面及び背面から隠れるようにしたことにより、閉じ状態での端部のずれ補正を行えるようにしながらも、外観を悪化させることなく開き状態でのガタツキ防止できる。
【図面の簡単な説明】
【００１６】
【図１】本発明の実施形態に係るスライド式携帯電話機の開き状態を示す正面図である。
【図２】本発明の実施形態に係るスライド式携帯電話機の閉じ状態を示す正面図である。
【図３】第１の筐体を裏返して示す斜視図である。
【図４】第２の筐体を示す斜視図である。
【図５】開き状態のスライド式携帯電話機を示す底面図である。
【図６】スライド機構の締結部を拡大して示す斜視図である。
【図７】従来技術のスライド式携帯電話を示す斜視図である。
【図８】別の従来技術のスライド式端末機器を示す断面図である。
【発明を実施するための形態】
【００１７】
以下、本発明の実施形態を図面に基づいて説明する。
【００１８】
図１及び図２は、本発明の実施形態のスライド式携帯端末としてのスライド式携帯電話機１を示し、このスライド式携帯電話機１は、表示部２を有する第１の筐体３と、操作部４を有する第２の筐体５とがスライド機構１０（図３及び図４に示す）によって互いにスライド移動可能に連結されている。なお、以下の説明では、図１に示すスライド式携帯電話機１の長手方向（スライド方向）を上下方向とし、幅方向を左右方向とする。
【００１９】
このことで、図２に示すように、互いに重なって第２の筐体５の表面の少なくとも一部（本実施形態ではほぼ全体）が隠れる閉じ状態か、図１に示すように、第１の筐体３が第２の筐体５に対してスライドして第２の筐体５の表面の少なくとも一部（本実施形態では操作部４）が現れる開き状態に切換可能となっている。本実施形態では、第１の筐体３及び第２の筐体５は、それぞれ矩形板状であるが、角部が丸まっていたり、第１の筐体３の方が第２の筐体５よりも小さく、閉じ状態で第２の筐体５の一部のみが隠れるようにしてもよい。
【００２０】
そして、スライド式携帯電話機１では、図３に示すように、第１の筐体３の下端側の裏面には、左右に間隔をあけて一対の第１ガタツキ防止部２１が設けられている。各第１ガタツキ防止部２１は、表面側から見て下方に向かって左右外側へ広がる第１傾斜面２１ａを有する。
【００２１】
また、図４に示すように、第２の筐体５の上下中央表面の操作部４よりも上側には、左右に間隔をあけて一対の第２ガタツキ防止部２２が設けられている。本実施形態では、第２ガタツキ防止部２２の方が、第１ガタツキ防止部２１よりも左右外側に配置されている。各第２ガタツキ防止部２２も、表面側から見て下方に向かって左右外側へ広がる第２傾斜面２２ａを有する。
【００２２】
図３、図４及び図６に示すように、第２の筐体５の表面に固定される板金状のスライダー１１を備え、そのスライダー１１の左右両端の係合部１２が第１の筐体３に左右に間隔をあけて設けたスライドレール１３にスライド可能に係合されている。スライダー１１は、例えば４つのネジ穴１１ａを有し、第２の筐体５に設けたビス挿通孔５ａに挿通したビス１５を、このネジ穴１１ａに締結することで、スライダー１１が第２の筐体５の表面に固定されている。なお、スライドレール１３の上下には、ストッパ１４がそれぞれ設けられている。このビス挿通孔５ａの内径がビス１５の外径に対して大きく設定されているので、図２に示す閉じ状態において、第１の筐体３の下端角部と第２の筐体５の下端角部とがずれずに重なるように調整できるようになっている。
【００２３】
このように構成したスライド式携帯電話機１では、図２に示すように、閉じ状態においては、第１及び第２ガタツキ防止部２１，２２は、それぞれ互いに当接しない。このため、閉じ状態におけるビス挿通孔５ａにおける位置合わせを問題なく行うことができる。
【００２４】
図１に示すように、開き状態において、第１及び第２ガタツキ防止部２１，２２は、第１傾斜面２１ａ及び第２傾斜面２２ａにおいて互いに当接する。このため、第１傾斜面２１ａと第２傾斜面２２ａとが開き状態で確実に当接してスライド方向及びスライド方向に垂直な方向への移動を規制するので、開き状態でのガタツキが確実に防止される。このため、落下時等に衝撃を受けてもガタツキが生じにくい。
【００２５】
図１及び図２に示すように、第１及び第２ガタツキ防止部２１，２２は、閉じ状態及び開き状態のいずれにおいても正面及び背面から隠れるので、第１及び第２ガタツキ防止部２１，２２を設けることで見映えが悪くなることはない。
【００２６】
したがって、本実施形態に係るスライド式携帯電話機１によると、閉じ状態での第１の筐体３の下端部と第２の筐体５の下端部とのずれ補正を行えるようにしながらも、外観を悪化させることなく開き状態でのガタツキ防止できる。
【００２７】
（その他の実施形態）
本発明は、上記実施形態について、以下のような構成としてもよい。
【００２８】
すなわち、上記実施形態では、第２ガタツキ防止部２２を第１ガタツキ防止部２１よりも左右外側に配置したが、第２ガタツキ防止部２２を第１ガタツキ防止部２１よりも左右内側に配置してもよい。この場合には、第２ガタツキ防止部２２を第１の筐体３の裏面に設け、第１ガタツキ防止部２１を第２の筐体５の表面に設けるようにすればよい。
【００２９】
上記実施形態では、スライド式携帯端末は、スライド式携帯電話機１としたが、スライド式のＰＨＳ（Personal Handy-phone System ）、ＰＤＡ(Personal Digital Assistant)、スマートフォン、パソコン、モバイルツール、電子辞書、電卓、ゲーム機等であってもよい。
【００３０】
なお、以上の実施形態は、本質的に好ましい例示であって、本発明、その適用物や用途の範囲を制限することを意図するものではない。
【産業上の利用可能性】
【００３１】
以上説明したように、本発明は、開き状態と閉じ状態とで切換可能なスライド式携帯電話機１について有用である。
【符号の説明】
【００３２】
１      スライド式携帯電話機（スライド式携帯端末）
３      第１の筐体
５      第２の筐体
１０      スライド機構
２１      第１ガタツキ防止部
２１ａ    第１傾斜面
２２      第２ガタツキ防止部
２２ａ    第２傾斜面
【図１】
2013197958.tif 000003
【図２】
2013197958.tif 000004
【図３】
2013197958.tif 000005
【図４】
2013197958.tif 000006
【図５】
2013197958.tif 000007
【図６】
2013197958.tif 000008
【図７】
2013197958.tif 000009
【図８】
2013197958.tif 000010